(57)【要約】      （修正有）【課題】コネクタプラグから光ファイバを引き抜いて、不正な光ファイバをコネクタに不正に挿着できない光コネクタを提供する。【解決手段】光コネクタプラグ１と光コネクタプラグ１が嵌合される光コネクタアダプタ２とでなる光コネクタ７であって、光コネクタプラグ１は、その挿抜方向に沿って筒状プラグ本体４に光ファイバ用の接続用貫通孔４ａと、光ファイバの心線３ａを相手方に光接続させるための保持用部材４ｂとが設けられてなり、光コネクタアダプタ２は、筒状プラグ本体４をアダプタ本体２ｄの嵌合孔２ｅに挿入されるとともに、アダプタ本体２ｄ内には、受発光素子６と、受発光素子の背面側に配置される突起部５ａを有して、アダプタ本体２ｄの嵌合孔２ｅに装着され筒状プラグ本体４が前記アダプタ本体２ｄの嵌合孔から抜去されるときに共に抜去されて受発光素子を突起部で光軸をずらすように押し倒すスライダ５とが設けられた光コネクタ７である。【選択図】図１
2013200345.tif 000002
【特許請求の範囲】
【請求項１】
光コネクタプラグと該光コネクタプラグが嵌合・装着される光コネクタアダプタとでなる光コネクタであって、
前記光コネクタプラグは、その挿抜方向に沿って筒状プラグ本体に光ファイバ用の接続用貫通孔と、光ファイバの心線を相手方に光接続させるための保持用部材とが設けられてなり、
前記光コネクタアダプタは、
アダプタ本体の嵌合孔に前記プラグ本体が挿入・嵌合されるとともに、
前記アダプタ本体内には、受発光素子と、
この受発光素子の背面側に配置される突起部を有して前記アダプタ本体の嵌合孔に装着された前記プラグ本体が当該嵌合孔から抜去されるときに該プラグ本体と共に抜去されて前記受発光素子を前記突起部で光軸をずらすように押し倒すスライダとが設けられてなること、
を特徴とする光コネクタ。
【請求項２】
光コネクタアダプタの嵌合孔の周壁面には、押し倒された受発光素子に対して元の位置に戻す不正操作を防止する不正防止壁が内側に向けて突設されていること、
を特徴とする請求項１に記載の光コネクタ。    
【請求項３】
スライダには、アダプタ本体の嵌合孔に装着されたときに当該スライダの抜止め作用する係止手段が設けられていると共に、光コネクタプラグが前記アダプタ本体の嵌合孔に装着されたときに当該光コネクタプラグの抜け止め作用する係合手段が設けられていること、
を特徴とする請求項１または２に記載の光コネクタ。
【発明の詳細な説明】
【技術分野】
【０００１】
本発明は、光通信におけるハーネスの光コネクタに係り、詳しくは、光コネクタの嵌合後に、光コネクタアダプタから光コネクタプラグが一度不正に引き抜かれた場合には、再度、光コネクタプラグを、光コネクタアダプタ、光モジュールまたはレセプタクル等（本願の特許請求の範囲、明細書において、これ等を光コネクタアダプタで代表させている）への光接続を防止するようにした光コネクタに関するものである。
【背景技術】
【０００２】
従来、例えば、医療機器などにおいては衛生上の理由として嵌合・抜去が可能なコネクタプラグと相手方コネクタとにおいて、前記コネクタプラグが嵌合後に前記相手方コネクタから引き抜かれた後は、再度、このコネクタプラグが相手方コネクタに嵌合させることができないようにするとともに、相手方コネクタに不要な部材を残さないようにするコネクタプラグが知られている（特許文献１，２参照）。
【先行技術文献】
【特許文献】
【０００３】
【特許文献１】特開２００９−９９４５９号公報
【特許文献２】特開２００９−１８７８４６号公報
【発明の概要】
【発明が解決しようとする課題】
【０００４】
かかる従来のコネクタプラグの例では、相手方コネクタに対して前記コネクタプラグ自身が嵌合できないように工夫したものである。しかしながら、例えば、遊戯具においては光コネクタプラグの光ファイバを強制的に前記光コネクタプラグから引き抜いて、替わりに予め用意した不正用の光ファイバを前記光コネクタプラグに挿着して、不正行為を働くことがある。このような場合には、相手方の光コネクタアダプタ、光モジュール、またはレセプタクルに対する前記コネクタプラグ自体の再利用防止対策では対応できないものである。本発明に係る光コネクタは、このような課題を解決するために提案されたものである。
【課題を解決するための手段】
【０００５】
本発明に係る光コネクタの上記課題を解決して目的を達成するための要旨は、光コネクタプラグと該光コネクタプラグが嵌合・装着される光コネクタアダプタとでなる光コネクタであって、前記光コネクタプラグは、その挿抜方向に沿って筒状プラグ本体に光ファイバ用の接続用貫通孔と、光ファイバの心線を相手方に光接続させるための保持用部材とが設けられてなり、前記光コネクタアダプタは、アダプタ本体の嵌合孔に前記プラグ本体が挿入・嵌合されるとともに、前記アダプタ本体内には、受発光素子と、この受発光素子の背面側に配置される突起部を有して前記アダプタ本体の嵌合孔に装着された前記プラグ本体が当該嵌合孔から抜去されるときに該プラグ本体と共に抜去されて前記受発光素子を前記突起部で光軸をずらすように押し倒すスライダとが設けられてなることである。
【０００６】
前記光コネクタアダプタの嵌合孔の周壁面には、押し倒された受発光素子に対して元の位置に戻す不正操作を防止する不正防止壁が内側に向けて突設されていることである。
【０００７】
前記スライダには、アダプタ本体の嵌合孔に装着されたときに当該スライダの抜止め作用する係止手段が設けられていると共に、光コネクタプラグが前記アダプタ本体の嵌合孔に装着されたときに当該光コネクタプラグの抜け止め作用する係合手段が設けられていることを含むものである。
【発明の効果】
【０００８】
本発明の光コネクタによれば、一度、光コネクタプラグ１に光ファイバ３がセットされた状態で光コネクタアダプタ、光モジュールまたはレセプタクル２に挿着された後に、前記光ファイバ３及び光コネクタプラグ１を前記光コネクタアダプタ、光モジュールまたはレセプタクル２から無理に引き抜くと、スライダの突起の作用で光コネクタアダプタ、光モジュールまたはレセプタクル２の受発光素子６が傾いて光軸がずれる。よって、再び光コネクタプラグ１を前記光コネクタアダプタ、光モジュールまたはレセプタクル２に挿着しても、光軸が一致することが無く、不正な操作や二度差し等を防止できると言う優れた効果を奏するものである。
【図面の簡単な説明】
【０００９】
【図１】本発明に係る光コネクタ７の嵌合状態を示す縦断面図（Ａ）、光コネクタ７の正常な光接続状態を示す縦断面図（Ｂ）である。
【図２】同本発明の光コネクタ７において、光コネクタプラグ１が光コネクタアダプタ２から引き抜かれて後方に移動し、スライダ５も一緒に後方に移動する様子を示す縦断面図（Ａ）と、更に光コネクタプラグ１が後方に引き出されて、受発光素子６がスライダ５の突起部５ａで押し倒され、光接続における光軸ａが一致せず、不正行為ができなくなった状態を示す縦断面図（Ｂ）である。
【発明を実施するための形態】
【００１０】
本発明に係る光コネクタ７は、光コネクタプラグ１を光コネクタアダプタ、光モジュールまたはレセプタクル２から無理に引く抜くことで、前記光コネクタアダプタ（以下、アダプタで代表させる、）２の光受光素子６の姿勢が変形して、光接続の光軸ａがずれるようにしたものである。
【実施例１】
【００１１】
本発明に係る光コネクタ７は、図１（Ａ）に示すように、光コネクタプラグ１と光コネクタアダプタ２とで構成されている。前記光コネクタプラグ１は、図１（Ａ）に示すように、筒状のプラグ本体４と、光コネクタプラグ１の挿抜方向に沿って前記プラグ本体４の中央部に設けられる光ファイバ３用の接続用貫通孔４ａと、光ファイバ３の心線３ａを相手方に光接続させるための保持用部材（フェルール）４ｂと、嵌め殺し用のロック用突起４ｃとが設けられてなる。なお、符号４ｄは、フランジを示している。
【００１２】
前記光コネクタアダプタ２は、アダプタ本体２ｄの嵌合孔２ｅに前記筒状プラグ本体４が挿入・嵌合されるものである。そして、前記アダプタ本体２ｄ内には、受発光素子６と、この受発光素子６の背面側に配置される突起部５ａを有して前記嵌合孔２ｅに装着された前記プラグ本体４が当該嵌合孔２ｅから抜去されるときに、該プラグ本体４と共に抜去されて前記受発光素子６を前記突起部５ａで光軸ａをずらすように押し倒すスライダ５とが設けられてなる。
【００１３】
前記スライダ５は、図１（Ａ）に示すように、アダプタ本体２ｄの嵌合孔２ｅに後方側から前方へ挿入して装着されると、弾性係止手段であるロック片５ｂが下方に押し付けられた状態から上方に跳ね上がって戻り、係合孔２ａの後方の係止部２ｃの壁面に係合して、後方に抜けないように抜け止めされる。
【００１４】
また、前記係合孔２ａの後方にある係止部２ｃは、前記スライダ５が後方に無理に移動された際に、前記ロック片５ｂによって破壊されるようになっている。
【００１５】
前記スライダ５の後方には、嵌合孔２ｅに貫通する係合手段である係合孔５ｃが設けられている。この係合孔５ｃは、プラグ本体４が嵌合孔２ｅに装着された際に、当該プラグ本体４の一部と係合して、該プラグ本体４が後方に抜けないように嵌め殺しにするためのものである。更に、前記係合孔５ｃの後方近傍にロック用突起４ｃを内側に押し込むテーパガイド部が形成されている。
【００１６】
前記光コネクタアダプタ２の嵌合孔２ｅの周壁面には、押し倒された受発光素子６に対して、例えば、棒のようなもので元の位置に押し戻すような不正操作を防止する不正防止壁２ｂが内側に向けて突設されている。
【００１７】
このようにして構成される光コネクタ７は、図１（Ｂ）に示すように、前記光ファイバ３を装着したプラグ本体４と、光コネクタアダプタ２とを嵌合させることで、光コネクタ７のハーネスが完成し光接続される。光コネクタプラグ１のプラグ本体４と光コネクタアダプタ２のスライダ５とが一体的に接合される。
【００１８】
そして、図２（Ａ）に示すように、例えば遊戯具等において、光接続されている光コネクタプラグ１を不正行為により引っ張ると、一体的になっているプラグ本体４およびスライダ５が、後方に引っ張られる。そして、ロック片５ｂの端部が、係止部２ｃを無理に押して破壊する。
【００１９】
その後、図２（Ｂ）に示すように、光コネクタプラグ１が更に後方に引っ張られて、一体となって後方に移動されるスライド５の突起部５ａが、受発光素子６をその脚部６ａから後方に押し曲げる。
【００２０】
図２（Ａ），（Ｂ）に示すように、光コネクタプラグ１が後方に引っ張られて、光コネクタアダプタ２から抜け出すと、前記受発光素子６は、図中の矢印方向に押し倒されており、当該受発光素子６の光軸が完全に、光接続の光軸ａからずれてしまう。
【００２１】
こうして、前記光コネクタアダプタ、光モジュールまたはレセプタクル２において、受発光素子６が直立状態から倒されてしまったので、再度、不正な光ファイバを用いた光コネクタプラグ１を前記光コネクタアダプタ、光モジュールまたはレセプタクル２に装着しても、光ファイバ３の光軸と受発光素子６の光軸とが一致することは無く、光接続できないものとなる。よって、遊戯具などにおける不正行為が防止され、医療機器などにおける使い回しを防止できるものである。
【産業上の利用可能性】
【００２２】
本発明に係る光コネクタプラグ１は、光接続を行う遊戯具に限らず、例えば衛生上で使い回しを禁止する医療機器等にも広く適用できるものである。
【符号の説明】
【００２３】
１          光コネクタプラグ、
２          光コネクタアダプタ、光モジュールまたはレセプタクル、
２ａ        係合孔、
２ｂ        不正防止壁、                    ２ｃ        係止部、
２ｄ        アダプタ本体、                  ２ｅ        嵌合孔、  
３          光ファイバ、
３ａ        心線、
４          プラグ本体、                    ４ａ        貫通孔、
４ｂ        保持用部材（フェルール）、      ４ｃ        ロック用突起、
４ｄ        フランジ、
５          スライダ、                      ５ａ        突起部、
５ｂ        ロック片、                      ５ｃ        係合孔、
６          受発光素子、                    ６ａ        脚部、
７          光コネクタ。
【図１】
2013200345.tif 000003
【図２】
2013200345.tif 000004